(57)【要約】【課題】回転力を持続的に生成することができる動力補助装置を提供する。【解決手段】回転体２０の中心軸Ａに回転軸２３を連接すると共に、回転軸２３を介して動力機構３０と連結して運動を形成する動力補助装置において、回転体２０には、複数個の導き溝２７を設け、前記複数の導き溝２７は、少なくとも一つの円及び回転体２０の中心軸Ａに沿って環状且つ等中心角度に配設され、しかもそれぞれの導き溝２７は第１端２７１と、第１端の反対側にある第２端２７２とを含み、第１端２７１は、第２端２７２より中心軸Ａに接近し、さらにそれぞれの導き溝２７内には、所定量の液体２８を予め充填し、液体２８は、導き溝２７内に充満されずに流動することができることを特徴とする。よって、液体２８が導き溝２７内において流動して回転体２０に対して慣性モーメントを発生し、故に回転体２０の回転を持続的に生成させることができる。【選択図】図１
2014020226.tif 000002
【特許請求の範囲】
【請求項１】
回転体の中心軸に回転軸を連接すると共に、前記回転軸を介して動力機構と連結して運動を形成する動力補助装置において、
前記回転体には、複数個の導き溝を設け、前記複数の導き溝は、少なくとも一つの円及び前記回転体の中心軸に沿って環状且つ等中心角度に配設され、しかもそれぞれの前記導き溝は第１端と、第１端の反対側にある第２端とを含み、前記第１端は、前記第２端より前記中心軸に接近し、さらにそれぞれの前記導き溝内には、所定量の液体を予め充填し、前記液体は、前記導き溝内に充満されずに流動することができることを特徴とする動力補助装置。
【請求項２】
それぞれの前記導き溝は、一つの直線部を含み、前記直線部は、前記第１端から第２端へ延伸され、且つ前記円と接することを特徴とする請求項１に記載の動力補助装置。
【請求項３】
それぞれの前記直線部は、末端が前記円に近付くにつれて折り曲げられて湾曲部を形成することを特徴とする請求項２に記載の動力補助装置。
【請求項４】
前記複数個の導き溝は、偶数個とし、それぞれの二つの導き溝は、中心軸に対して反対称にされることを特徴とする請求項１に記載の動力補助装置。
【請求項５】
前記液体には、前記液体の比重を増加させる粒子を添加することを特徴とする請求項１に記載の動力補助装置。
【請求項６】
前記少なくともの一つの円は、複数個の同心円で、各円に複数個の導き溝を環状に配設することを特徴とする請求項１に記載の動力補助装置。
【発明の詳細な説明】
【技術分野】
【０００１】
本発明は動力補助装置に関し、特に回転体に複数個の密封した導き溝を設け、導き溝内に液体を充填すると共に、導き溝内の液体を流動状態に導いて力のモーメントを発生することにより、回転体を継続的に回転させる動力補助装置に関する。
【背景技術】
【０００２】
人類は動力のエネルギーとしての石油に過剰に依存しているため、石油が日増しに減少している。このため、沢山の科学者或いは企業はすでに石油代替エネルギーの研究に積極的に取り込んでいる。現在、有力の石油代替エネルギーとしては、太陽光発電と風力発電が挙げられる。太陽電池は、光起電力効果を利用し、光エネルギーを電気エネルギーに変換するものであり、風力発電は風力を電気エネルギーに変換するものである。太陽光発電と風力発電は、自然な光エネルギーと風力エネルギーを電気エネルギーに変換できるが、その発電効率と収益は依然として所要水準に達することができない。
【０００３】
また、現在、多くの科学者は、永久に動き続ける（以下、永動という）か、又は連続的に動く（以下、続動という）技術に関する研究を絶えず行っているが、永動技術に関しては、めざましい進展が未だに見られない。さらに、続動技術に関しては、慣性回転体を用いてエネルギーを蓄えて動きの継続性を伸ばすという技術が公表されているが、依然としてさらなる良好な成果が得られない。
【０００４】
本発明者は、一般の動力源が石油、太陽エネルギー或いは風力エネルギーによらなければならないことがあり、しかも上記永動及び続動技術も石油代替エネルギーとしてまだ確立されていない点に鑑み、積極的に研究投資を行い、絶えず努力して研究開発して本発明を完成した。
【先行技術文献】
【特許文献】
【０００５】
【特許文献１】なし
【発明の概要】
【発明が解決しようとする課題】
【０００６】
そこで、本発明の主な目的は、回転力を持続的に生成することができる動力補助装置を提供することにある。
【課題を解決するための手段】
【０００７】
上記課題を解決するために、本発明の動力補助装置は、回転体の中心軸に回転軸を連接すると共に、前記回転軸を介して動力機構と連結して運動を形成する動力補助装置において、前記回転体には、複数個の導き溝を設け、前記複数の導き溝は、少なくとも一つの円及び前記回転体の中心軸に沿って環状且つ等中心角度に配設され、しかもそれぞれの前記導き溝は第１端と、第１端の反対側にある第２端とを含み、前記第１端は、前記第２端より前記中心軸に接近し、さらにそれぞれの前記導き溝内には、所定量の液体を予め充填し、前記液体は、前記導き溝内に充満されずに流動することができることを特徴とする。
【０００８】
各前記導き溝は、一つの直線部を含み、前記直線部は、前記第１端から第２端へ延伸され、且つ前記円と接することを特徴とする。
【０００９】
各前記直線部は、末端が前記円に近付くにつれて折り曲げられて湾曲部を形成することを特徴とする。
【００１０】
複数個の導き溝は、偶数個とし、それぞれの二つの導き溝は、中心軸に対して反対称にされることを特徴とする。
【００１１】
液体には、前記液体の比重を増加させる粒子を添加することを特徴とする。
【００１２】
少なくともの一つの円は、複数個の同心円で、各円に複数個の導き溝を環状に配設することを特徴とする。
【発明の効果】
【００１３】
本発明の動力補助装置によれば、回転体上に複数個の導き溝を環状に設け、しかも各導き溝内に液体を充填し、回転体の中心軸を回転軸を介して動力機構と連動し、各導き溝の一端から他端に向かって中心軸から離れるように延伸し、回転体の中心軸を水平方向に設置して回転するとき、液体が導き溝内において流動して回転体に対して慣性モーメント及び力のモーメントの差を発生し、故に回転を持続的に生成させることができるという効果を奏する。
【図面の簡単な説明】
【００１４】
【図１】本発明に係る動力補助装置の実施例１の分解斜視図である。
【図２】本発明に係る動力補助装置の実施例１の全体斜視図である。
【図３】本発明に係る動力補助装置の実施例１の横断面図である。
【図４】本発明に係る動力補助装置の実施例２の横断面図である。
【図５】本発明に係る動力補助装置の実施例３の横断面図である。
【図６】本発明の動力補助装置を風力発電機に応用した場合の正面図である。
【図７】本発明の動力補助装置を風力発電機に応用した場合の立体図である。
【図８】本発明の動力補助装置を一般発電機に応用した場合の立体図である。
【発明を実施するための形態】
【００１５】
以下、本発明を実施例及び添付の図面によって詳細に説明する。
【実施例１】
【００１６】
本発明の実施例１では、図１ないし３及び図７に示すように、一つの回転体２０及び複数個の導き溝２７を含む。
【００１７】
回転体２０の中心軸Ａには、回転軸２３を連接する。回転体２０は、回転軸２０に取り付けた位置決め部材１０を介して動力機構３０と連結することにより、運動を形成する。
【００１８】
複数の導き溝２７は、一つの円Ｃ及び回転体２０の中心軸Ａに沿って環状且つ等中心角度に回転体２０上に配設される。各導き溝２７は第１端２７１と、第１端の反対側にある第２端２７２と、直線部２７３とを含み、第１端２７１は、第２端より前記軸心部２２に接近する。直線部２７３は、第１端２７１から第２端２７２へ延伸され、且つ円Ｃと接する（即ち、直線部２７３の始点は円Ｃと接する）。
【００１９】
各導き溝２７内には、所定量の液体２８を予め充填する。各導き溝２７内における液体２８は、重量が等しく、体積が導き溝２７の容積の１０％〜６０％である。液体２８は、導き溝２７内に充満されることなく、自在に流動することができる。図３に示すように、導き溝２７は、偶数個あり、それぞれの二つの導き溝２７は、中心軸Ａに対して反対称にする。即ち、二つの導き溝２７は回転体２０の中心軸Ａから遠く離れて正反対方向に向かってそれぞれ延伸される。これにより、液体２８の重量が回転体２０上に働くとき、力のモーメントが発生される。
【００２０】
回転体２０上には、同一の円心を有する数個の円筒２４を設け、各円筒２４は、互いに所定の間隔を有する。円筒２４は、両端が環状盤２５上に固定される。各導き溝２７は、箱体２７０内に設けられる。箱体２７０は円筒２４と環状盤２５とに同時に固定される。位置決め部材１０は、一つの中枢部１１を含み、中枢部１１には、ベアリングを設け、このベアリングに回転軸２３を枢支する。
【００２１】
力のモーメントの公式によれば、力のモーメントの大きさは作用力の大きさ と、作用力の作用線と回転の中心との距離の積で表される。図３に示すように、作用力は導き溝２７内の液体２８の重量である。導き溝２７内の一方の液体２８が第２端２７２に向かって流動するとき、回転体２０上に作用する作用力の作用線と回転の中心との距離が大きくなる。よって、回転体２０を反時計方向に回転させる第１の力のモーメントを発生する。同時に、導き溝２７内の他方の液体２８が第１端２７１に向かって流動するとき、回転体２０上に作用する作用力の作用線と回転の中心との距離が小さくなる。よって、回転体２０を時計方向に回転させる第２の力のモーメントを発生する。図３には、反時計方向に回転する状態を示し、第１の力のモーメントは第２の力のモーメントより大きくなっているので、回転体２０を反時計方向に持続的に回転させることができる。例えば、第１個目の導き溝２７が時計の１２時に位置するとき、第６個目の導き溝２７が時計の６時に位置することになる。第１個目の導き溝２７と第６個目の導き溝２７が反対称にされるため、両者内の液体２８の重力が回転体２０に作用する力のモーメントは釣り合っている。
【００２２】
第２個目の導き溝２７と第８個目の導き溝２７が反対称にされる。第２個目の導き溝２７内の液体２８が第２端２７２に向かって流動するとき、第８個目の導き溝２７内の液体２８が第１端２７１に向かって流動する。第２個目の導き溝２７内の液体の重量が回転体２０上に作用する力のモーメントは、第８個目の導き溝２７内の液体による力のモーメントより大きくなる。以上の原理によって、全ての導き溝２７内の液体の重量が回転体２０上に作用すると、一つの力のモーメントの差が生じるので、これにより、回転体２０を持続的に回転させることができる。
【実施例２】
【００２３】
本発明の実施例２の特徴は、図４に示すように、回転体２０の限られた円周範囲内において導き溝２７の長さを大きくすることにある。各導き溝２７の直線部２７３は、末端が円Ｃに近づくにつれて折り曲げられることにより、湾曲部２７４を形成する。各導き溝２７は、輪郭が長板状を呈する。力のモーメントの差を大きくするために、液体２８は、比重が水より大きいことが好ましい。例えば、海水又は水銀でもよい。また、液体２８内に比重が大きい金属粒子、ガラス真珠、又は金属真珠などの粒子２９を添加してもよい。
【実施例３】
【００２４】
本発明の実施例３の特徴は、図５に示すように、回転体２０上に中心軸Ａに対して同心円の分布を呈する複数個の円Ｃ、Ｃ１を設けることにある。各円Ｃ、Ｃ１には、中心軸Ａに沿って環状且つ等中心角度に複数個の導き溝２７を配設する。回転体２０上には、中心軸Ａを中心とする同心かつ等間隔の円筒２４を複数個設置する。各円筒２４には、複数個の導き溝２７を固定する。導き溝２７の数量の増加によって、回転体２０を持続的に回転させる動力を高めることができる。
【００２５】
図６と図７は、本発明の動力補助装置を風力発電機に応用した場合を示すものである。回転軸２３の一端には、羽根４１を取付け、他端には、動力機構３０の動力入力端を連接する。回転体２０は、回転軸２３を介して風力発電機５０の羽根（又はプロペラ）４１と連動する。羽根４１が風を受けて回転するとき、風力発電機５０が起動されて発電する。同時に、回転体２０上の全ての導き溝２７内の液体２８の重量によって、力のモーメントの差を発生するので、羽根４１を駆動する回転力を増加することができる。よって、風力発電機５０の発電効率を高めることができる。しかも風が吹かない日でも、全ての導き溝２７内の液体の重量が回転体２０に作用することによって、力のモーメントの差を発生し、この持続的動力により、風力発電機５０を駆動して発電し続けることができる。
【００２６】
図８は、本発明の動力補助装置を一般発電機５０に応用した場合を示すものである。回転軸２３は発電機５０の動力機構３０の動力入力端と連結し、回転体２０の回転によって、動力機構３０を介して発電機５０を駆動して発電することができる。
【符号の説明】
【００２７】
１０：位置決め部材
１１：中枢部
２０：回転体
２２：軸心部
２３：回転軸
２４：円筒
２５：環状盤
２７：導き溝
２７０：箱体
２７１：第１端
２７２：第２端
２７３：直線部
２７４：湾曲部
２８：液体
２９：粒子
３０：動力機構
４０：風力発電機
４１：羽根（又はプロペラ）
５０：発電機
【図１】
2014020226.tif 000003
【図２】
2014020226.tif 000004
【図３】
2014020226.tif 000005
【図４】
2014020226.tif 000006
【図５】
2014020226.tif 000007
【図６】
2014020226.tif 000008
【図７】
2014020226.tif 000009
【図８】
2014020226.tif 000010